(57)【要約】【課題】異種複数の通信回路を搭載する無線通信装置において、通信性能を損なうことなく、アンテナ数を削減する。【解決手段】少なくとも２種類の無線通信機能を搭載する無線通信装置１００であって、２つのアンテナ１，２と、少なくとも受信時には、２つのアンテナ１，２からの信号を使用する第１通信回路（ＬＴＥ通信回路１１）と、２つのアンテナ１，２のうち、いずれか一方を選択する選択ダイバーシティを実行する第２通信回路（ＲＦ９２０通信回路１２）と、第１通信回路及び第２通信回路の各々を２つのアンテナ１，２と接続可能な回路であって、アンテナ側が１つの電路、通信回路側が２つの電路となっているジャンクション部２１，２２が２つのアンテナ１，２の各々に対応して設けられている接続回路１０と、を備えている。【選択図】図１
2016127487.tif 000002
【特許請求の範囲】
【請求項１】
少なくとも２種類の無線通信機能を搭載する無線通信装置であって、
２つのアンテナと、
少なくとも受信時には、前記２つのアンテナからの信号を使用する第１通信回路と、
前記２つのアンテナのうち、いずれか一方を選択する選択ダイバーシティを実行する第２通信回路と、
前記第１通信回路及び前記第２通信回路の各々を前記２つのアンテナと接続可能な回路であって、アンテナ側が１つの電路、通信回路側が２つの電路となっているジャンクション部が前記２つのアンテナの各々に対応して設けられている接続回路と、
を備えている無線通信装置。
【請求項２】
前記ジャンクション部はアンテナスイッチによって構成され、前記第１通信回路は、当該アンテナスイッチを操作して前記２つのアンテナを共に、前記第２通信回路よりも優先して、前記第１通信回路にのみ接続可能である請求項１に記載の無線通信装置。
【請求項３】
前記第１通信回路は、通信を行おうとする場合にのみ前記アンテナスイッチを操作して自己を前記２つのアンテナに接続し、通信を行わないスリープ状態では、前記アンテナスイッチを操作して前記２つのアンテナを前記第２通信回路に提供する、請求項２に記載の無線通信装置。
【請求項４】
前記ジャンクション部は、アンテナ側から見て１本の電路が２本の電路に、単純分岐している請求項１に記載の無線通信装置。
【請求項５】
少なくとも受信時には２つのアンテナからの信号を使用する無線通信機能を有する第１通信回路と、２つのアンテナのうち、いずれか一方を選択する選択ダイバーシティを実行する無線通信機能を有する第２通信回路と、を備える無線通信装置におけるアンテナ共用方法であって、
前記第２通信回路よりも前記第１通信回路の方が通信の優先性が高い場合に、前記第１通信回路が通信を行おうとするとき、前記２つのアンテナを優先的に独占使用し、
前記第１通信回路がスリープ状態のときは、前記２つのアンテナを前記第１通信回路から解放し、前記第２通信回路に提供する、
アンテナ共用方法。
【発明の詳細な説明】
【技術分野】
【０００１】
本発明は、無線通信装置及びそのアンテナ共用方法に関する。
【背景技術】
【０００２】
近年、一般にスマートメーターと呼ばれる通信機能付きの電力メーターが用いられるようになってきた。このようなスマートメーターは、電力会社の管理機器との通信（いわゆるＡルートの通信）と、需要家内に任意に設置することができるＨＥＭＳ（Home Energy Management System）ゲートウェイとの通信（いわゆるＢルートの通信）とを行うことができる。例えば、Ａルートの通信により、電力量の自動検針を行うことができ、Ｂルートの通信により需要家内の使用電力管理制御を行うことができる（例えば、特許文献１参照。）。
【０００３】
ここで、ＡルートとＢルートとでは、互いに異なる通信方式を採用しても構わない。Ａルート通信には例えば携帯無線であるＬＴＥ（Long Term Evolution）が使用され、Ｂルート通信には例えば９２０ＭＨｚ帯の特定小電力無線が使用される。ＬＴＥ方式は、３ＧＰＰの仕様書にて規定されるＥ−ＵＴＲＡ（ＬＴＥ）方式である。また、９２０ＭＨｚ帯特定小電力無線とは、ＡＲＩＢ  ＳＴＤ−Ｔ１０８で規定される９２０ＭＨｚ帯テレメータ用、テレコントロール用及びデータ伝送用無線設備である。
従って、スマートメーターには、２種類の通信機能を有する通信モジュール（通信基板）を搭載する必要が生じる場合がある。また、スマートメーターの他、スマートフォンや、無線ブローバンドルーター等においても同様に、ＬＴＥと９２０ＭＨｚ帯無線とを共存させる場合がある。
【０００４】
また、これまで一般に、異なった無線周波数帯を使用する複数の無線通信システムを複合した通信装置としては、共用器やアンテナスイッチ等を用いてアンテナの共用を行う技術が提案されている（例えば、特許文献２参照。）。
【先行技術文献】
【特許文献】
【０００５】
【特許文献１】特開２０１３−１７１４５３号公報
【特許文献２】特開２００４−７１６２号公報
【発明の概要】
【発明が解決しようとする課題】
【０００６】
さて、ＬＴＥにはＭＩＭＯ（Multiple-Input Multiple-Output）技術が不可欠であり、受信回路においては、複数のアンテナで受信した信号を最大比合成してＳＮ比を高めたり、アンテナごとに独立した信号を受信して伝送速度を高めたりする。そのため、ＬＴＥ通信回路には２つのアンテナが必要である。また、９２０ＭＨｚ帯無線においても、ＳＮ比改善のため選択ダイバーシティが好ましく、そのためには２つのアンテナが必要である。従って、合計４つのアンテナが必要となり、大きな配置スペースが必要となる。これは当然に、コンパクト化の要請に反し、問題となる。一方、アンテナ自体を小さくすると、アンテナの放射効率が悪くなる。また、アンテナ同士を互いに接近させると、ダイバーシティ効果が薄れる。
【０００７】
かかる課題に鑑み、本発明は、異種複数の通信回路を搭載する無線通信装置において、通信性能を損なうことなく、アンテナ数を削減することを目的とする。
【課題を解決するための手段】
【０００８】
本発明は、少なくとも２種類の無線通信機能を搭載する無線通信装置であって、２つのアンテナと、少なくとも受信時には、前記２つのアンテナからの信号を使用する第１通信回路と、前記２つのアンテナのうち、いずれか一方を選択する選択ダイバーシティを実行する第２通信回路と、前記第１通信回路及び前記第２通信回路の各々を前記２つのアンテナと接続可能な回路であって、アンテナ側が１つの電路、通信回路側が２つの電路となっているジャンクション部が前記２つのアンテナの各々に対応して設けられている接続回路と、を備えている。
【０００９】
また、本発明は、少なくとも受信時には２つのアンテナからの信号を使用する無線通信機能を有する第１通信回路と、２つのアンテナのうち、いずれか一方を選択する選択ダイバーシティを実行する無線通信機能を有する第２通信回路と、を備える無線通信装置におけるアンテナ共用方法であって、
前記第２通信回路よりも前記第１通信回路の方が通信の優先性が高い場合に、前記第１通信回路が通信を行おうとするとき、前記２つのアンテナを優先的に独占使用し、前記第１通信回路がスリープ状態のときは、前記２つのアンテナを前記第１通信回路から解放し、第２通信回路に提供する、アンテナ共用方法である。
【発明の効果】
【００１０】
本発明によれば、通信性能を損なうことなく、アンテナ数を削減することができる。
【図面の簡単な説明】
【００１１】
【図１】スマートメーター、スマートフォン、無線ブロードバンドルーター等に搭載可能な無線通信装置の回路図の第１例である。
【図２】ＬＴＥ及びＲＦ９２０が使用する周波数帯域（数値の単位は［ＭＨｚ］）の例を示す図である。
【図３】無線通信装置の回路図の第２例である。
【図４】無線通信装置の回路図の第３例である。
【図５】無線通信装置の回路図の第４例である。
【発明を実施するための形態】
【００１２】
［実施形態の要旨］
本発明の実施形態の要旨としては、少なくとも以下のものが含まれる。
【００１３】
（１）少なくとも２種類の無線通信機能を搭載する無線通信装置であって、２つのアンテナと、少なくとも受信時には、前記２つのアンテナからの信号を使用する第１通信回路と、前記２つのアンテナのうち、いずれか一方を選択する選択ダイバーシティを実行する第２通信回路と、前記第１通信回路及び前記第２通信回路の各々を前記２つのアンテナと接続可能な回路であって、アンテナ側が１つの電路、通信回路側が２つの電路となっているジャンクション部が前記２つのアンテナの各々に対応して設けられている接続回路と、を備えている無線通信装置である。
【００１４】
上記（１）のように構成された無線通信装置では、ジャンクション部を有する接続回路により、２つのアンテナを各通信回路で共用することができる。第１通信回路は、２つのアンテナの各出力を同時に受信して複数入力（Multiple-Input）を実現することができる。第２通信回路は、２つのアンテナのいずれでも使用可能として、選択ダイバーシティを実現することができる。こうして、選択ダイバーシティ及び、少なくとも受信に関して複数入力を必要とする２種類の無線通信機能が搭載された無線通信装置でありながら、基本的に２つのアンテナによって、必要な機能を実現することができる。従って、通信性能を損なうことなく、アンテナ数を削減することができる。
【００１５】
（２）また、（１）の無線通信装置において、前記ジャンクション部はアンテナスイッチによって構成され、前記第１通信回路は、当該アンテナスイッチを操作して前記２つのアンテナを共に、前記第２通信回路よりも優先して、前記第１通信回路にのみ接続可能であってもよい。
これにより、第２通信回路より第１通信回路の方が通信の優先性が高い場合に、２つのアンテナを優先的に第１通信回路が独占使用することができる。
【００１６】
（３）また、（２）の無線通信装置において、前記第１通信回路は、通信を行おうとする場合にのみ前記アンテナスイッチを操作して自己を前記２つのアンテナに接続し、通信を行わないスリープ状態では、前記アンテナスイッチを操作して前記２つのアンテナを前記第２通信回路に提供するようにしてもよい。
この場合、第１通信回路がスリープ状態のときは、第２通通信回路が選択ダイバーシティで通信可能な状態となる。
【００１７】
（４）また、（１）の無線通信装置において、前記ジャンクション部は、アンテナ側から見て１本の電路が２本の電路に、単純分岐している形態であってもよい。
この場合、極めて簡単な構成で、２つのアンテナのいずれをも、第１通信回路及び第２通信回路で共用することができる。
【００１８】
（５）一方、これは、少なくとも受信時には２つのアンテナからの信号を使用する無線通信機能を有する第１通信回路と、２つのアンテナのうち、いずれか一方を選択する選択ダイバーシティを実行する無線通信機能を有する第２通信回路と、を備える無線通信装置におけるアンテナ共用方法であって、前記第２通信回路よりも前記第１通信回路の方が通信の優先性が高い場合に、前記第１通信回路が通信を行おうとするとき、前記２つのアンテナを優先的に独占使用し、前記第１通信回路がスリープ状態のときは、前記２つのアンテナを前記第１通信回路から解放し、前記第２通信回路に提供する、アンテナ共用方法である。
【００１９】
上記（５）のアンテナ共用方法では、第１通信回路は、２つのアンテナの各出力を同時に受信して複数入力（Multiple-Input）を実現することができ、また、通信を行おうとするときは優先的に２つのアンテナを独占使用することができる。一方、第２通信回路は、第１通信回路がスリープ状態のときに解放された２つのアンテナから選択ダイバーシティにより選択した１つのアンテナを使用することができる。こうして、選択ダイバーシティ及び、少なくとも受信に関して複数入力を必要とする２種類の無線通信機能が搭載された無線通信装置において、基本的に２つのアンテナによって、必要な機能を実現することができる。従って、通信性能を損なうことなく、アンテナ数を削減することができる。また、第１通信回路については、通信の優先性も確保することができる。
【００２０】
［実施形態の詳細］
以下、実施形態の詳細について、図面を参照して説明する。
【００２１】
《無線通信装置：第１例》
図１は、スマートメーター、スマートフォン、無線ブロードバンドルーター等に搭載可能な無線通信装置１００の回路図の第１例である。このような無線通信装置１００はアンテナも含めて、例えば一つの基板上にモジュール化することができる。この無線通信装置１００は、第１の無線通信機能としてＬＴＥ、及び、第２の無線通信機能として９２０ＭＨｚ帯無線（以下、ＲＦ９２０という。）を搭載している。スマートメーターの場合、ＬＴＥはいわゆるＡルートの通信（主として検針データの送信）に、ＲＦ９２０はいわゆるＢルートの通信に、それぞれ使用される。
【００２２】
図において、第１アンテナ１及び第２アンテナ２は、基板３上で又は基板３近傍で、互いに必要な距離をおいて、配置されている。基板３には、共用器４、フィルタ５，７，８、アンテナスイッチ９、ＬＴＥ通信回路１１（第１通信回路）、及び、ＲＦ９２０通信回路１２（第２通信回路）が設けられている。
【００２３】
ＬＴＥ通信回路１１の送信ポートＴＸ及び、受信ポートＲＸ１は、共用器４を介して第１アンテナ１と接続されている。これにより、ＬＴＥ通信回路１１は、第１アンテナ１により送受信を行うことができる。また、ＬＴＥ通信回路１１の他の受信ポートＲＸ２は、フィルタ５を介して第２アンテナ２と接続されている。これによりＬＴＥ通信回路１１は、２つのアンテナ（第１アンテナ１，第２アンテナ２）から受信ポートＲＸ１，ＲＸ２に同時に受信して複数入力（Multiple-Input）を実現することができる。
【００２４】
一方、ＲＦ９２０通信回路１２の受信ポートＲＸは、フィルタ７又は８及びアンテナスイッチ９を介して、第１アンテナ１及び第２アンテナ２のいずれか一方と接続される。同様に、ＲＦ９２０通信回路１２の送信ポートＴＸは、フィルタ７又は８及びアンテナスイッチ９を介して、第１アンテナ１及び第２アンテナ２のいずれか一方と接続される。アンテナスイッチ９は、図の実線で示す接続、及び、点線で示す接続のいずれか一方を選択することができる。選択信号は、ＲＦ９２０通信回路１２から出力される。このようにして、ＲＦ９２０通信回路１２は、２つのアンテナ（第１アンテナ１，第２アンテナ２）のうち、いずれか一方を選択する選択ダイバーシティを実行することができる。
【００２５】
また、図１において、第１アンテナ１及び第２アンテナ２と、ＬＴＥ通信回路１１及びＲＦ９２０通信回路１２とを、相互に接続する回路全体を、接続回路１０とする。接続回路１０は、共用器４、フィルタ５，７，８、アンテナスイッチ９を含み、各アンテナ１，２にそれぞれ対応したジャンクション部２１，２２も含む。この場合のジャンクション部２１，２２は、アンテナ側から見て１本の電路が２本の電路に単純分岐する分岐点・接続点である。この場合、極めて簡単な構成で、２つのアンテナのいずれをも、ＬＴＥ通信回路１１及びＲＦ９２０通信回路１２に接続することができる。なお、ジャンクション部２１から共用器４及びフィルタ７までのそれぞれの電路、並びに、ジャンクション部２２からフィルタ５及び８までのそれぞれの電路は、分岐・接続による信号への影響を抑制すべく、極力短く設計される。
【００２６】
《周波数帯域の例》
図２は、ＬＴＥ及びＲＦ９２０が使用する周波数帯域（数値の単位は［ＭＨｚ］）の例を示す図である。ここでは、（ａ）及び（ｂ）の２例を示している。
【００２７】
まず、（ａ）の例では、以下のようになる。
ＬＴＥ送信に使用される周波数帯域Ｆ１：８１５〜８３０ＭＨｚ
ＬＴＥ受信に使用される周波数帯域Ｆ２：８６０〜８７５ＭＨｚ
ＲＦ９２０の送受信に使用される周波数帯域Ｆ３：９１５．９〜９１６．９ＭＨｚ及び９２０．５〜９２９．７ＭＨｚ
【００２８】
また、（ｂ）の例では、以下のようになる。
ＬＴＥ送信に使用される周波数帯域Ｆ１：８３０〜８４５ＭＨｚ
ＬＴＥ受信に使用される周波数帯域Ｆ２：８７５〜８９０ＭＨｚ
ＲＦ９２０の送受信に使用される周波数帯域Ｆ３：９１５．９〜９１６．９ＭＨｚ及び９２０．５〜９２９．７ＭＨｚ
【００２９】
図１に戻り、第１アンテナ１は、ＬＴＥ送受信及びＲＦ９２０送受信に使用される。従って、第１アンテナ１がカバーすべき周波数帯域は、Ｆ１，Ｆ２，Ｆ３となる。具体的数値を挙げると、図２の（ａ）の例の場合は、８１５ＭＨｚ〜９２９．７ＭＨｚとなる。図２の（ｂ）の例の場合は、８３０ＭＨｚ〜９２９．７ＭＨｚとなる。また、第２アンテナ２は、ＬＴＥ受信及びＲＦ９２０送受信に使用される。従って、第２アンテナ２がカバーすべき周波数帯域は、Ｆ２，Ｆ３となる。具体的数値を挙げると、図２の（ａ）の例の場合は、８６０ＭＨｚ〜９２９．７ＭＨｚとなる。図２の（ｂ）の例の場合は、８７５ＭＨｚ〜９２９．７ＭＨｚとなる。
【００３０】
以上のように、図１の無線通信装置１００では、ジャンクション部２１，２２を有する接続回路１０により、２つのアンテナ１，２を各通信回路１１，１２で共用することができる。ＬＴＥ通信回路１１は、２つのアンテナ１，２の各出力を同時に受信して複数入力（Multiple-Input）を実現することができる。ＲＦ９２０通信回路１２は、２つのアンテナ１，２のいずれでも使用可能として、選択ダイバーシティを実現することができる。こうして、選択ダイバーシティ及び、受信に関して複数入力を必要とする２種類の無線通信機能が搭載された無線通信装置１００でありながら、基本的に２つのアンテナ１，２によって、必要な機能を実現することができる。従って、通信性能を損なうことなく、アンテナ数を削減することができる。
【００３１】
《無線通信装置：第２例》
図３は、無線通信装置１００の回路図の第２例である。図１との違いは、ＬＴＥ通信回路１１が受信ポートＲＸ１，ＲＸ２のみならず、送信ポートも２つ（送信ポートＴＸ１，ＴＸ２）有している点と、２組の送受信ポート（ＴＸ１，ＲＸ１，ＴＸ２，ＲＸ２）がそれぞれ、共用器４，６と接続されている点とである。それ以外の構成は、図１と同様である。
【００３２】
図３において、ＬＴＥ通信回路１１の送信ポートＴＸ１及び受信ポートＲＸ１は、共用器４を介して第１アンテナ１と接続されている。また、ＬＴＥ通信回路１１の送信ポートＴＸ２及び受信ポートＲＸ２は、共用器６を介して第２アンテナ２と接続されている。
これによりＬＴＥ通信回路１１は、２つのアンテナ（第１アンテナ１，第２アンテナ２）から受信ポートＲＸ１，ＲＸ２に同時に受信して複数入力（Multiple-Input）を実現することができるのみならず、送信時は、送信ポートＴＸ１，ＴＸ２から同時に送信して複数出力（Multiple-Output）を実現することができる。
【００３３】
第１アンテナ１及び第２アンテナ２がそれぞれカバーすべき周波数帯域は、共に、Ｆ１，Ｆ２，Ｆ３となる。
【００３４】
図３の無線通信装置１００では、ジャンクション部２１，２２を有する接続回路１０により、２つのアンテナ１，２を各通信回路１１，１２で共用することができる。ＬＴＥ通信回路１１は、２つのアンテナ１，２を用いて同時に送信又は受信を行い、高性能な通信方式である複数入力・複数出力（MIMO: Multiple-Input Multiple-Output）を実現することができる。ＲＦ９２０通信回路１２は、２つのアンテナ１，２のいずれでも使用可能として、選択ダイバーシティを実現することができる。こうして、選択ダイバーシティ及び、受信に関して複数入力を必要とする２種類の無線通信機能が搭載された無線通信装置１００でありながら、基本的に２つのアンテナ１，２によって、必要な機能を実現することができる。従って、通信性能を損なうことなく、アンテナ数を削減することができる。
【００３５】
《無線通信装置（アンテナ共用方法も含む）：第３例》
図４は、無線通信装置１００の回路図の第３例である。このような無線通信装置１００はアンテナも含めて、例えば一つの基板上にモジュール化することができる。この無線通信装置１００は、第１の無線通信機能としてＬＴＥ、及び、第２の無線通信機能として９２０ＭＨｚ帯無線（以下、ＲＦ９２０という。）を搭載している。
【００３６】
図において、第１アンテナ１及び第２アンテナ２は、基板３上で又は基板３近傍で、互いに必要な距離をおいて、配置されている。基板３には、共用器４、フィルタ５，７，８、アンテナスイッチ９、ＬＴＥ通信回路１１（第１通信回路）、及び、ＲＦ９２０通信回路１２（第２通信回路）が設けられている。
【００３７】
ＬＴＥ通信回路１１の送信ポートＴＸ及び、受信ポートＲＸ１は、共用器４を介して第１アンテナ１と接続することができる。これにより、ＬＴＥ通信回路１１は、第１アンテナ１により送受信を行うことができる。また、ＬＴＥ通信回路１１の他の受信ポートＲＸ２は、フィルタ５を介して第２アンテナ２と接続することができる。これによりＬＴＥ通信回路１１は、２つのアンテナ（第１アンテナ１，第２アンテナ２）から受信ポートＲＸ１，ＲＸ２に同時に受信して複数入力（Multiple-Input）を実現することができる。
【００３８】
一方、ＲＦ９２０通信回路１２の受信ポートＲＸは、フィルタ７又は８及びアンテナスイッチ９を介して、第１アンテナ１及び第２アンテナ２のいずれか一方と接続される。同様に、ＲＦ９２０通信回路１２の送信ポートＴＸは、フィルタ７又は８及びアンテナスイッチ９を介して、第１アンテナ１及び第２アンテナ２のいずれか一方と接続される。アンテナスイッチ９は、図の実線で示す接続、及び、点線で示す接続のいずれか一方を選択することができる。選択信号は、ＲＦ９２０通信回路１２から出力される。このようにして、ＲＦ９２０通信回路１２は、２つのアンテナ（第１アンテナ１，第２アンテナ２）のうち、いずれか一方を選択する選択ダイバーシティを実行することができる。
【００３９】
第１アンテナ１がカバーすべき周波数帯域は、Ｆ１，Ｆ２，Ｆ３、第２アンテナ２がカバーすべき周波数帯域はＦ２，Ｆ３となる。
【００４０】
また、図４において、第１アンテナ１及び第２アンテナ２と、ＬＴＥ通信回路１１及びＲＦ９２０通信回路１２とを、相互に接続する回路全体を、接続回路１０とする。接続回路１０は、共用器４、フィルタ５，７，８、アンテナスイッチ９を含み、各アンテナ１，２にそれぞれ対応したジャンクション部（３１，３２）を含む。ジャンクション部はアンテナスイッチ３１，３２により構成されており、ＬＴＥ通信回路１１により接点の切替を行うことができる。
【００４１】
ＬＴＥ通信回路１１は、アンテナスイッチ３１，３２を操作して、図の実線の位置及び点線の位置のいずれか一方を選択することができる。ＬＴＥ通信回路１１は、通信を行おうとする場合にのみアンテナスイッチ３１，３２を操作して点線の接続位置とし、自己を２つのアンテナ１，２に接続する。ＬＴＥはＲＦ９２０よりも優先性が高く、ＬＴＥ通信回路１１がアンテナスイッチ３１，３２を操作することにより２つのアンテナ１，２を共に、ＲＦ９２０通信回路１２よりも優先して、ＬＴＥ通信回路１１にのみ接続することができる。これにより、ＬＴＥ通信回路１１がＲＦ９２０通信回路１２よりも通信の優先性が高い場合に、２つのアンテナ１，２を優先的にＬＴＥ通信回路１１が独占使用することができる。
【００４２】
スマートメーターの場合、ＬＴＥ通信回路１１は、定期的に（例えば３０分に１回）電力量の検針データを送信するが、それ以外はスリープ状態となる。そこで、ＬＴＥ通信回路１１は、通信を行わないスリープ状態のときには、アンテナスイッチ３１，３２を実線の位置に操作して、ＲＦ９２０通信回路１２を２つのアンテナ１，２に接続する。すなわち、ＬＴＥ通信回路１１がスリープ状態のときは、Ｆ９２０通信回路１２が選択ダイバーシティで通信可能な状態となる。
【００４３】
なお、ＲＦ９２０通信回路１２が通信中に、ＬＴＥ通信回路１１が通信を行おうとしてアンテナスイッチ３１，３２を切り替えると、ＲＦ９２０の通信が失敗に終わる可能性もある。しかしながら、通信が失敗に終わった場合は、次の機会に再度、通信を行うことができるので、実質的な問題は生じない。
【００４４】
なお、アンテナスイッチ３１から共用器４及びアンテナスイッチ９までのそれぞれの電路、並びに、アンテナスイッチ３２からフィルタ５及びアンテナスイッチ９までのそれぞれの電路は、分岐・接続による信号への影響を抑制すべく、極力短く設計される。
【００４５】
以上のように、図４の無線通信装置１００では、ジャンクション部としてのアンテナスイッチ３１，３２を有する接続回路１０により、２つのアンテナ１，２を各通信回路１１，１２で共用することができる。ＬＴＥ通信回路１１は、２つのアンテナ１，２の各出力を同時に受信して複数入力（Multiple-Input）を実現することができる。ＲＦ９２０通信回路１２は、２つのアンテナ１，２のいずれでも使用可能として、選択ダイバーシティを実現することができる。こうして、選択ダイバーシティ及び、受信に関して複数入力を必要とする２種類の無線通信機能が搭載された無線通信装置１００でありながら、基本的に２つのアンテナ１，２によって、必要な機能を実現することができる。従って、通信性能を損なうことなく、アンテナ数を削減することができる。
【００４６】
《無線通信装置（アンテナ共用方法も含む）：第４例》
図５は、無線通信装置１００の回路図の第４例である。図４との違いは、ＬＴＥ通信回路１１が受信ポートＲＸ１，ＲＸ２のみならず、送信ポートも２つ（送信ポートＴＸ１，ＴＸ２）有している点と、２組の送受信ポート（ＴＸ１，ＲＸ１，ＴＸ２，ＲＸ２）がそれぞれ、共用器４，６と接続されている点とである。それ以外の構成は、図４と同様である。
【００４７】
図５において、ＬＴＥ通信回路１１の送信ポートＴＸ１及び受信ポートＲＸ１は、共用器４及びアンテナスイッチ３１を介して第１アンテナ１と接続することができる。また、ＬＴＥ通信回路１１の送信ポートＴＸ２及び受信ポートＲＸ２は、共用器６及びアンテナスイッチ３２を介して第２アンテナ２と接続することができる。
これによりＬＴＥ通信回路１１は、２つのアンテナ（第１アンテナ１，第２アンテナ２）から受信ポートＲＸ１，ＲＸ２に同時に受信して複数入力（Multiple-Input）を実現することができるのみならず、送信時は、送信ポートＴＸ１，ＴＸ２から同時に送信して複数出力（Multiple-Output）を実現することができる。
【００４８】
第１アンテナ１及び第２アンテナ２がそれぞれカバーすべき周波数帯域は、共に、Ｆ１，Ｆ２，Ｆ３となる。
【００４９】
図５の無線通信装置１００では、ジャンクション部としてのアンテナスイッチ３１，３２を有する接続回路１０により、２つのアンテナ１，２を各通信回路１１，１２で共用することができる。ＬＴＥ通信回路１１は、２つのアンテナ１，２を用いて同時に送信又は受信を行い、高性能な通信方式である複数入力・複数出力（MIMO: Multiple-Input Multiple-Output）を実現することができる。ＲＦ９２０通信回路１２は、２つのアンテナ１，２のいずれでも使用可能として、選択ダイバーシティを実現することができる。こうして、選択ダイバーシティ及び、受信に関して複数入力を必要とする２種類の無線通信機能が搭載された無線通信装置１００でありながら、基本的に２つのアンテナ１，２によって、必要な機能を実現することができる。従って、通信性能を損なうことなく、アンテナ数を削減することができる。
【００５０】
また、図４の第３例と同様に、ＬＴＥ通信回路１１がＲＦ９２０通信回路１２よりも通信の優先性が高い場合に、２つのアンテナ１，２を優先的にＬＴＥ通信回路１１が独占使用することができる。さらに、ＬＴＥ通信回路１１がスリープ状態のときは、Ｆ９２０通信回路１２が選択ダイバーシティで通信可能な状態となる。
【００５１】
《その他》
なお、上記各例の無線通信装置１００は、主としてスマートメーターへの搭載を想定したものであるが、前述のように、その他、スマートフォン、無線ブロードバンドルーター等にも搭載可能である。また、さらに、これらの例示に限定されず、２種類（又はそれ以上）の通信方式を併用する装置に、かかる無線通信装置を搭載することができる。
【００５２】
なお、今回開示された実施の形態はすべての点で例示であって制限的なものではないと考えられるべきである。本発明の範囲は特許請求の範囲によって示され、特許請求の範囲と均等の意味及び範囲内での全ての変更が含まれることが意図される。
【符号の説明】
【００５３】
１  第１アンテナ
２  第２アンテナ
３  基板
４，６  共用器
５，７，８  フィルタ
９  アンテナスイッチ
１０  接続回路
１１  ＬＴＥ通信回路（第１通信回路）
１２  ＲＦ９２０通信回路（第２通信回路）
２１，２２  ジャンクション部
３１，３２  アンテナスイッチ（ジャンクション部）
１００  無線通信装置
【図１】
2016127487.tif 000003
【図２】
2016127487.tif 000004
【図３】
2016127487.tif 000005
【図４】
2016127487.tif 000006
【図５】
2016127487.tif 000007